(57)【要約】【課題】構成部品を低減しかつ、信頼性の高い記録再生装置を提供する。【解決手段】可換型記録媒体に記録あるいは再生する第１の記録デバイスと、可換型記録媒体を複数収納する収納部と、第１の記録デバイスと収納部間で可換型記録媒体を搬送する搬送手段と、非可換型記録媒体に記録あるいは再生する第２の記録デバイスを備えた記録再生装置とする。データを記録する場合は、第２の記録デバイスに一旦記録し、次に第２の記録デバイスから第１の記録デバイスを使用し複数の可換型記録媒体にデータ冗長性を付加した上で分散して順次記録を行う。また、データを再生する場合は、前記第１の記録デバイスによって複数の可換型記録媒体から順次再生を行い、第１の記録デバイスで再生したデータは前記第２の記録デバイスに一旦記録し、次に第２の記録デバイスで分散したデータを合成した上で記録再生装置より出力する。【選択図】  図１
2012027994.tif 000002
【特許請求の範囲】
【請求項１】
可換型記録媒体に記録あるいは再生する第１の記録デバイスと、前記可換型記録媒体を複数収納する収納部と、前記第１の記録デバイスと前記収納部間で前記可換型記録媒体を搬送する搬送手段と、非可換型記録媒体に記録あるいは再生する第２の記録デバイスと、前記第１および第２の記録デバイスに対し、データの記録あるいは再生を制御するシステムコントローラを備えた記録再生装置であって、
前記第２の記録デバイスの記録容量は、複数保持した前記可換型記録媒体の総記録容量以上であり、
前記記録再生装置にデータを記録する場合は、前記システムコントローラが前記第２の記録デバイスにデータを一旦記録し、次に前記第２の記録デバイスから前記第１の記録デバイスを使用し複数の前記可換型記録媒体に対し記録を行い、
前記システムコントローラが前記可換型記録媒体に記録する際、前記搬送手段により前記可換型記録媒体を任意に選択し前記第１の記録デバイスに搬送し、前記第２の記録デバイス上のデータに冗長性を付加した上で、前記第１の記録デバイスにより複数の前記可換型記録媒体にデータを分散して順次記録し、
前記記録再生装置からデータを再生する場合は、前記システムコントローラが複数の前記可換型記録媒体から前記第１の記録デバイスにより再生したデータを前記第２の記録デバイスに一旦記録し、前記第２の記録デバイスからデータを再生することでデータ出力を行い、
前記システムコントローラが前記可換型記録媒体から再生する際、前記搬送手段により前記可換型記録媒体を任意に選択し前記第１の記録デバイスに搬送し、前記第１の記録デバイスから複数の前記可換型媒体のデータを順次再生して前記第２の記録デバイスにデータを記録し、
前記システムコントローラは、前記第２の記録デバイスで複数の前記可換型記録媒体から再生された分散データを合成した上で出力し、
前記第１の記録デバイスの搭載台数は、データを前記可換型記録媒体に分散記録する分散数より少ないことを特徴とする記録再生装置。
【請求項２】
請求項１記載の記録再生装置において、
前記搬送手段は、複数の前記可換型記録媒体を同時に搬送可能であることを特徴とする記録再生装置。
【請求項３】
請求項１記載の記録再生装置において、
前記第１の記録デバイスは光ディスクドライブであり、前記第２の記録デバイスはハードディスクドライブであり、前記可換型記録媒体は光ディスクであることを特徴とする記録再生装置。
【請求項４】
請求項１記載の記録再生装置において、
前記収納部は、前記可換型記録媒体を複数収納するマガジンであり、前記マガジン単位で前記記録再生装置に装着および取り出しすることを特徴とする記録再生装置。
【請求項５】
請求項４記載の記録再生装置において、
前記マガジンに収納された複数の前記可換型記録媒体単位でデータを分散、記録することを特徴とする記録再生装置。
【請求項６】
請求項１記載の記録再生装置において、
前記第１の記録デバイスで複数の前記可換型記録媒体を再生する際、少なくとも１枚以上前記可換型記録媒体を再生することなく、前記第２の記録デバイスでデータを合成し、出力することを特徴とする記録再生装置。
【請求項７】
請求項１記載の記録再生装置において、
前記第２の記録デバイスに記録あるいは再生するデータに対し、暗号あるいは復号を行う暗号および復号手段を有しており、前記記録再生装置に前記可換型記録媒体を収納した時点で鍵を生成し、前記鍵を使用して前記第２の記録デバイスに記録する際には暗号化を行い、再生する際には復号化を行い、前記記録再生装置から前記可換型記録媒体を取り出した際、前記鍵を破棄することを特徴とする記録再生装置。
【請求項８】
請求項４記載の記録再生装置において、
前記マガジンに不揮発性メモリを搭載し、前記記録再生装置には不揮発性メモリ記録再生手段を搭載し、前記可換型記録媒体に記録を行う際、前記不揮発性メモリ記録再生手段により前記不揮発性メモリに記録内容を示すデータを記録し、
前記マガジンを記録再生装置に装着した際、前記不揮発性メモリ記録再生手段により前記不揮発性メモリ内のデータを読み出すことを特徴とする記録再生装置。
【発明の詳細な説明】
【技術分野】
【０００１】
本発明は記録再生装置の制御方法であり、可換型記録媒体に対する信頼性向上技術に関するものである。
【背景技術】
【０００２】
ＤＶＤ（Ｄｉｇｉｔａｌ Ｖｅｒｓａｔｉｌｅ Ｄｉｓｃ）やＢＤ（Ｂｌｕ−Ｒａｙ Ｄｉｓｃ）に代表される光ディスクは、可換型記録媒体であり安価にＰＣ（Ｐｅｒｓｏｎａｌ Ｃｏｍｐｕｔｅｒ）の記録容量を増加させることが出来る。このためＰＣに搭載されたＨＤＤ（Ｈａｒｄ Ｄｉｓｃ Ｄｒｉｖｅ）のデータ保存先あるいはバックアップに有用である。
【０００３】
ところで、近年映像データの取り扱いなどにより記録するデータ量の増加が著しい。これに対応するため、ＨＤＤの記憶容量はテラバイト台に達しているのに対し、光ディスクは１枚当たり数十ギガバイト台であり記憶容量に差が出ている。一方光ディスクにおいても大容量化を目指した開発は進められており、その１手段が特許文献１に開示されている。特許文献１では光ディスクを複数枚収納した上で制御し記録再生するオートチェンジャ方式により大容量化を図っている。
【０００４】
また、光ディスクには記録したデータに対する信頼性が求められる。光ディスクは、傷、汚れなどにより読み取りデータにエラーがあった場合でも、あるレベルまではエラー訂正処理によりエラー訂正することが出来る。しかし、エラー訂正能力を超えるエラーが発生した場合や、光ディスクのそり、変形など機械的特性の劣化によって読み取り不能状態に陥った場合は、記録データを読み出すことができなくなる。これに対し、特許文献１ではＲＡＩＤ（Ｒｅｄｕｎｄａｎｔ Ａｒｒａｙ ｏｆ Ｉｎｅｘｐｅｎｓｉｖｅ Ｄｉｓｋｓ）手法を用いた信頼性向上を図る方法を開示している。
【０００５】
特許文献２には、「読み出し要求の発生したデータファイルをリムーバブル記録媒体から速やかに読み出して転送できるアーカイブ装置を提供する」ことを課題とし、その解決手段として「一連の連続データからそれぞれ構成される複数のデータファイルをそれぞれ複数に分割したデータを混在して記録した複数の光ディスク１と、これらの光ディスク１を格納したディスク収容棚２と、光ディスク１に記録されたデータを読み出すための複数の光ディスク駆動装置４と、光ディスク駆動装置４に対して光ディスクを着脱するためのロボット３と、任意のデータファイルに対する読み出し要求に従ってロボット３および光ディスク駆動装置４を制御する制御用計算機５を有する。」との記載がある（要約等）。
【先行技術文献】
【特許文献】
【０００６】
【特許文献１】特開２０００-１６３２２４号公報
【特許文献２】特開平９−１２８１６３号公報
【発明の概要】
【発明が解決しようとする課題】
【０００７】
光ディスクに対しＲＡＩＤ手法を用いる場合、複数の光ディスクに対して並列に記録あるいは再生する必要があるため光ディスクドライブが複数必要になり、記録再生装置の規模が大きくなる。特許文献１では、モジュールボックス単位で光ディスクドライブを搭載しており、並列化を行うためにこれが複数用意されている。特許文献２でも、複数の光ディスク駆動装置を用いて並列的な読み出しを行なっている。
【０００８】
データを分散させて、複数の記録媒体に対して並列的な記録・読み出しを行なう場合、少なくともその分散数だけの光ディスクドライブが必要となる。そのため、記録再生装置が大型化するとともに、コストの増加を招く原因となる。
【０００９】
本発明の目的は、大容量、高信頼性化を図った記録再生装置の提供である。
【課題を解決するための手段】
【００１０】
上述した目的は、例えば、特許請求の範囲に記載の構成により達成される。例えば、本発明の記録再生装置は、可換型記録媒体に記録あるいは再生する第１の記録デバイスと、可換型記録媒体を複数収納する収納部と、第１の記録デバイスと収納部間で可換型記録媒体を搬送する搬送手段と、非可換型記録媒体に記録あるいは再生する第２の記録デバイスを備えたものとする。データを記録する場合は、第２の記録デバイスに一旦記録し、次に第２の記録デバイスから第１の記録デバイスを使用し複数の可換型記録媒体にデータ冗長性を付加した上で分散して順次記録を行う。また、データを再生する場合は、前記第１の記録デバイスによって複数の可換型記録媒体から順次再生を行い、第１の記録デバイスで再生したデータは前記第２の記録デバイスに一旦記録し、次に第２の記録デバイスで分散したデータを合成した上で記録再生装置より出力する。
【発明の効果】
【００１１】
本発明により、大容量、高信頼性化を図った記録再生装置を提供することが可能となる。
【図面の簡単な説明】
【００１２】
【図１】本発明の１実施例を示す図で、記録再生装置の構成を示した図である。
【図２】本発明の１実施例を示す図で、記録再生装置の主要構成部品の配置を示した図である。
【図３】本発明の１実施例を示す図で、光ディスクを収納するマガジンの概観を示した図である
【図４】本発明の１実施例を示す図で、複数の光ディスクに対して記録処理を行う際の処理を説明した図である。
【図５】本発明の１実施例を示す図で、複数の光ディスクから再生処理を行い、ホストＰＣにデータを出力する際の処理を説明した図である。
【図６】本発明の１実施例を示す図で、ホストＰＣからのデータに対し、冗長性を付加し複数の光ディスク毎に記録するデータを生成する処理を説明した図である。
【図７】本発明の１実施例を示す図で、ＨＤＤへの記録再生処理を暗号／復号手段を用いて行う記録再生装置の構成を示した図である。
【図８】本発明の１実施例を示す図で、ＨＤＤへの記録再生処理を暗号／復号手段を用いて行う際の処理を説明した図である。
【図９】本発明の１実施例を示す図で、マガジンに不揮発性メモリを搭載し、不揮発性メモリよりマガジン内の光ディスクの記録内容を示すデータを取得する記録再生装置の構成を示した図である。
【発明を実施するための形態】
【００１３】
本発明の実施例について図１〜図９を用いて説明する。
【００１４】
図１は本発明の１実施例の記録再生装置の構成を示した図である。記録再生装置１は、ホストＰＣ７から転送されるデータの記録、および再生したデータをホストＰＣ７へ転送する処理を行う。記録再生装置１は、システムコントローラ２、マガジン３、光ディスクドライブ４、ＨＤＤ５、光ディスク搬送機６からなる。システムコントローラ２はホストＰＣ７のデータの送受信、光ディスクドライブ４およびＨＤＤ５への記録再生、および光ディスク搬送機の制御を行う。マガジン３は光ディスクを複数収納する収納部である。光ディスク搬送機６はマガジン３内に収納された光ディスクを光ディスクドライブ４へ搬送、または光ディスクドライブ４内の光ディスクをマガジン３に搬送する機構である。光ディスクドライブ４は光ディスクに対し記録再生を行い、ＨＤＤ５は非可換型の磁気ディスクに記録再生を行う機能を有している。ここでＨＤＤ５の記録容量は、搭載する複数の光ディスクの記録容量以上に設定する。例えば、１枚当たり５０ＧＢの記録容量を有する光ディスクを５枚搭載する場合は、２５０ＧＢ以上の記録容量を有するＨＤＤとする。
【００１５】
なお、本実施例では上記のようなＨＤＤを用いて説明をするが、これに限られるものではない。例えば、大容量の半導体メモリ等を用いてもよく、また、後述のように、データを分散記録・再生する分散数により、データ分散させる枚数分の光ディスクと同等の容量を備えた記録媒体であればよい。
【００１６】
なお、本実施例では、記録再生装置１がホストＰＣ７に直接接続されているが、これに限ることなくネットワークを経由して記録再生を行ってもよい。
【００１７】
図２は本発明の１実施例の記録再生装置の主要構成部品の配置を示した図である。マガジン３、光ディスクドライブ４、ＨＤＤ５を垂直方向に配置し、マガジン３、光ディスクドライブ４の隣に光ディスク搬送機構６が配置されている。光ディスク搬送機構６は、搬送台１５が上下動および、マガジン３、光ディスクドライブ４と搬送台１５の間で光ディスクを横移動させる機構である。例えば、マガジン３から光ディスクドライブ４へ光ディスクを搬送する場合、マガジン３内の任意の光ディスクの位置に搬送台１５を縦移動する。つぎにマガジン３内の光ディスクを搬送台１５に横移動し取り込む。そして搬送台１５を光ディスクドライブ４のディスク挿脱口１４位置に縦移動し、搬送台１５上の光ディスクを光ディスクドライブ４へ横移動して搬送を完了する。光ディスクドライブ４からマガジン３へ光ディスクを搬送する場合はその逆を行う。ここで、上記説明した搬送台１５の機能に加え、複数の光ディスクを同時に搬送する機能を備えても良い。すなわち、複数の光ディスクを取り込む機能を加え、あるいは複数の搬送台１５を備えるようにすることで、複数の光ディスクを同時に搬送できる。これにより、光ディスクドライブ４のディスク挿脱口１４位置での、光ディスクの入れ替え時間を短縮することができ、本実施例の記録・再生処理時間を短縮できる。  ところで、マガジン３は、光ディスク７ａ，７ｂ，７ｃ，７ｄ，７ｅを収納した状態でマガジン挿脱口８より挿脱を行う。マガジン３単位で挿脱を行うことにより、複数の光ディスクの取り扱い性を向上する。本記録再生装置では、複数の光ディスクにデータを分散して記録するため複数の光ディスクをグループ化して取り扱う必要がある。このため、データ分散単位をマガジンの光ディスク数とし、マガジン単位で挿脱を行うことで光ディスクの管理が容易になる。
【００１８】
図３はマガジン３の外観を示した図である。図３（ａ）は記録再生装置から取り出された状態を示し、図３（ｂ）は記録再生装置内にマガジン３が装着された状態を示している。マガジン３には、ディスクカバー９がありマガジン３が記録再生装置の外にあるときは、マガジン３のディスク挿脱口１４をふさぐように位置しごみや埃が内部に侵入することを防ぐ仕組みになっている。また、マガジン３にはラベルエリア１０があり、ここにユーザーがラベルを貼ることでマガジンの判別が行いやすくなっている。マガジン３を記録再生装置に装着すると、ディスクカバー９が回動してディスク挿脱口１４が露出し、光ディスク７ａ，７ｂ，７ｃ，７ｄ，７ｅへのアクセスが可能になる。光ディスク搬出機構はこのディスク挿脱口１４より光ディスク７ａ，７ｂ，７ｃ，７ｄ，７ｅの取り出しおよび収納を行う。
【００１９】
次に本記録再生装置による記録および再生処理について説明する。図４は本実施例の記録再生装置による光ディスクへの記録処理について説明した図である。ホストＰＣから記録再生装置がデータを受信すると（１０１）、まずデータをＨＤＤに一旦記録する（１０２）。次にＨＤＤ内のデータに対しパリティを付加し、データとパリティを光ディスク枚数と同じ数に分散した分散データを作成する（１０３）。次に光ディスク搬送機を用い、光ディスク１を光ディスクドライブに搬送し（１０４）、分散データのひとつを光ディスク１へ記録する（１０５）。光ディスク１への記録が完了すると光ディスク搬送機を用いて、光ディスク１をマガジンに搬送する（１０６）。この光ディスクへの記録処理をディスク枚数分行い記録終了する（１０７）。
【００２０】
従来のＲＡＩＤ手法では、複数のディスクに並列に記録を行うことで、信頼性向上および記録時間を短縮することが出来る。しかし並列処理を行うためには光ディスクドライブが複数必要になるため規模が大型化し、コストアップにもつながっていた。本実施例では、可換型光ディスクドライブの特長を生かし、例えば１台等の光ディスクドライブで複数の光ディスクに対し順次、記録処理を行うことで、記録手段を最小限の台数としても信頼性の高い記録装置を実現することが可能になる。なお、本実施例では光ディスクドライブを１台搭載したがこれに限ることなく複数搭載して、分散記録処理の一部を並列に処理してもよい。その場合には、前記光ディスクドライブの搭載台数を、光ディスクにデータを分散記録する分散数より少なくすることで、搭載コストを低減できる。
【００２１】
例えば１００枚の光ディスクを搭載する記録再生装置の場合、光ディスクドライブが１台の場合は１００枚分の記録時間が必要であるが、光ディスクドライブを２台搭載し並列処理した場合は５０枚分の記録時間でよい。この方法は記録枚数が増えると記録時間の絶対時間が大きくなるため有効である。
【００２２】
本実施例によれば、データを一旦記録するＨＤＤを用いることにより、光ディスクへデータを分散記録する際の処理を、直列的に（すなわち、順次）行なうことをできるようになる。そのため、光ディスクドライブの搭載台数を、光ディスクへデータを分散記録する分散数より少なくすることが可能となる。
【００２３】
図５は本実施例の記録再生装置による光ディスクからの再生処理について説明した図である。まず光ディスク搬送機６で光ディスク１を光ディスクドライブへ搬送する（１１１）。つぎに光ディスクドライブで光ディスク１のデータを再生し、ＨＤＤに記録する（１１２）。光ディスク１の再生が完了すると光ディスク搬送機を用いて、光ディスク１をマガジンに搬送する（１１３）。この光ディスクへの再生処理をディスク枚数分行い光ディスクからの再生は終了する（１１４）。次にＨＤＤ内のデータを合成し、元のデータを生成する（１１５）。ＨＤＤで生成したデータを再生し、ホストＰＣへ出力する（１１６）。
【００２４】
次に図６によりＨＤＤに記録したデータに対するパリティ付加とデータの分散について説明する。図６では、光ディスク枚数を５枚とし、データを５個に分散する例を示す。ホストＰＣからＨＤＤに記録したデータ列は、図６（ａ）に示すようにＤ１、Ｄ２、Ｄ３、・・・、Ｄ１２、・・・と仮定する。まず、図６（ｂ）に示すようにデータ列４個単位にパリティを付加し、Ｐａｒｉｔｙ１−４、Ｐａｒｉｔｙ５−８、Ｐａｒｉｔｙ９−１２、・・・を生成する。次に、図６（ｃ）に示すように光ディスク毎に記録する分散データをそれぞれ生成する。例えば光ディスク１はＤ１、Ｄ５、Ｄ９、・・・のように生成する。分散データを生成する際には、光ディスクの任意の１枚が読み取り不能になった場合でも、他の光ディスクに記録するデータとＰａｒｉｔｙを使用することで、元のデータが再生できるように分散する。これはＲＡＩＤ手法により実現可能であり、詳細は割愛する。そして、この分散したデータを光ディスク１、光ディスク２、・・・光ディスク５と順次複数の光ディスクへ記録する。一方再生の場合は、光ディスク１、光ディスク２、・・・光ディスク５から順次データを再生してＨＤＤで合成し、Ｄ１、Ｄ２、Ｄ３、・・・、Ｄ１２、・・・を生成する。なお、光ディスクから再生したデータに読み取りエラーがない場合は、光ディスク１、光ディスク２、・・・光ディスク４のデータおよびＰａｒｉｔｙから光ディスク５のデータの復元が可能であるため、光ディスク５の読み取りを省略してもよい。また、本実施例ではＰａｒｉｔｙを１種類付加したが、これに限ることなく、複数種類付加して信頼性向上を図ることも出来る。
【００２５】
本記録再生装置は、ＨＤＤを一次的な記録領域として使用している。ＨＤＤに記録されたデータは消去を行わない限り、記録再生装置に残ったままになる。しかしユーザーは光ディスクに対して記録を行っているのであり、記録再生装置内にデータを残している認識はない。このため、記録再生装置内に残されたデータが外部に流出しないように対応する必要がある。この対策として光ディスクを取り出した際に、ＨＤＤ内のデータを消去する方法が考えられるが、全データの消去には時間がかかるため、使い勝手が悪くなることが予想される。本実施例では図７に示すように、ＨＤＤへ記録／再生を行う際に暗号化／復号化を行う暗号／復号手段１１を搭載する。そして暗号／復号を行う鍵は光ディスク装着時のみ有効とすることで、ＨＤＤ内の情報の流出を防ぐことが出来る。
【００２６】
図８はＨＤＤに記録するデータを暗号／復号する処理について説明した図である。まず記録再生装置に光ディスクが収納されたマガジンを装着する（１２１）。システムコントローラは、マガジンが装着された契機で、暗号／復号化鍵を生成する（１２２）。生成鍵および暗号／復号手段を用いデータに対して暗号／復号処理を施した上でＨＤＤに記録／再生を行う（１２３）（１２４）。記録／再生が終了しマガジンを取り出す際（１２５）、生成した鍵を破棄する（１２６）。生成鍵を破棄することで暗号化されて記録したデータは復号が不可能になり、情報が流出することはない。
【００２７】
本実施例の記録再生装置は、複数の光ディスクに分散してデータが記録されているため、すべての光ディスクを読み出ししないと、内部のデータを取得することが出来ない。このため、装着するマガジンを間違えた場合、データが読み出しできるようになるまで時間がかかるため、誤装着に気がつくのが遅れ使い勝手が悪い。使い勝手を向上するために本実施例では図９に示すようにマガジン３に不揮発性メモリ１２を取り付け、記録再生装置１に不揮発性メモリ記録再生手段１３を搭載する。光ディスクへの記録を行う際、記録データのファイル名、作成日、記録容量、など記録するデータの一部を不揮発性メモリに書き込む。これにより光ディスクから再生を行う際に、まず不揮発性メモリを読み込み、マガジン内の光ディスクの内容を確認することで、マガジンの誤装着を防ぐことが出来る。不揮発性メモリに書き込む内容は、光ディスクを識別する内容であればよく、書き込みデータから自動的に生成しても、あるいはユーザーが追加で書き込みしてもよい。
【００２８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００２９】
１…記録再生装置
２…システムコントローラ
３…マガジン
４…光ディスクドライブ
５…ハードディスクドライブ
６…光ディスク搬送機
７ａ、７ｂ、７ｃ、７ｄ、７ｅ…光ディスク
８…マガジン挿脱口
９…ディスクカバー
１０…ラベルエリア
１１…ＨＤＤデータ暗号／復号手段
１２…不揮発性メモリ
１３…不揮発性メモリ記録再生手段
１４…ディスク挿脱口
１５…搬送台
【図１】
2012027994.tif 000003
【図２】
2012027994.tif 000004
【図３】
2012027994.tif 000005
【図４】
2012027994.tif 000006
【図５】
2012027994.tif 000007
【図６】
2012027994.tif 000008
【図７】
2012027994.tif 000009
【図８】
2012027994.tif 000010
【図９】
2012027994.tif 000011